(57)【要約】【課題】大型光増幅分配装置の設置面積や設置体積を小さくし、装置の省電力化、低価格化を図り、更には、施工・保守作業の効率を向上させること。【解決手段】本発明の実施例における大型光増幅分配装置１００は、シングルポート入力・マルチポート出力の高出力のマルチポートＥＤＦＡ１（一入力多出力型光増幅器）を実装する光増幅ユニット１を有し、この光増幅ユニット１には、入力側に片端コネクタ付きの単心光コードＣを備えた光スプリッタユニット２を４台以上最大１６台まで設けることができる。この光スプリッタユニット２の各一台当りの光分配数は３２又は６４で、これにより、ラック８内の空間設計、製造、管理、運用等の合理化、効率化が達成される。これらの構成により、光スプリッタユニット２は、エンドユーザ数に応じて容易に設置台数を変更でき、設置、増設、交換作業なども、既製のユニット単位で容易に実施できる。【選択図】  図４
2004354408.tif 000002
【特許請求の範囲】
【請求項１】
エンドユーザまで光ファイバーで情報を伝達する光ファイバー伝送システムの送信端又は中継端に設置され、入力光信号を多数の出力光信号に分配する光成端架において、
１つの入力ポートから入力された光信号を増幅して多数の出力ポートに分配する一入力多出力型光増幅器が用いられた光増幅ユニットと、
前記光増幅ユニットから出力される各光信号を、それぞれ、入力し、多数の光信号に分配する多数の光スプリッタを配設した光スプリッタユニットと、
当該光成端架の外部に伸びる出力側の多数の出力光ファイバーαの片側の端部と、前記光スプリッタユニットの出力端に一方が接続される光ファイバーβのもう一方の端部とをｎ心対ｎ心（ｎ≧１）で融着するための融着トレイと
を１つのラック内に設けた
ことを特徴とする大型光増幅分配装置。
【請求項２】
前記光増幅ユニットの各出力ポートとそれぞれの前記光スプリッタユニットの入力端とは、片端コネクタ付きの単心光コードＣで接続されている
ことを特徴とする請求項１に記載の大型光増幅分配装置。
【請求項３】
多数の前記出力光ファイバーαを集合させて成る、コネクタ無しの出力光ファイバーケーブルＡと、
複数の前記光ファイバーβを集合させて成る、片側のみにコネクタを有する片端コネクタ付き多心光コードＢと
を有し、
前記光ファイバーβの片端は、前記光スプリッタユニットの前記出力端にコネクタ接続されており、
前記光ファイバーβの他端は、前記出力光ファイバーαの片側の端部と、前記融着トレーにおいて融着されている
ことを特徴とする請求項１又は請求項２に記載の大型光増幅分配装置。
【請求項４】
前記片端コネクタ付き多心光コードＢは、複数の８ｍ心テープ心線（ｍ＝１，２，３，４）から成るテープ群をＮ本（２≦Ｎ≦８）一纏めとする１単位毎に、１つのチューブ又は１つの変換部で束ねることにより形成された、ピッグテール型のファンコードから構成されている
ことを特徴とする請求項３に記載の大型光増幅分配装置。
【請求項５】
前記光スプリッタユニットは、１６分配の光スプリッタと４分配の光スプリッタとを２段に組み合わせて構成される６４分配の光分配器から成る
ことを特徴とする請求項１乃至請求項４の何れか１項に記載の大型光増幅分配装置。
【請求項６】
前記光スプリッタユニットは、３２分配の光スプリッタと２分配の光スプリッタとを２段に組み合わせて構成される６４分配の光分配器から成る
ことを特徴とする請求項１乃至請求項４の何れか１項に記載の大型光増幅分配装置。
【請求項７】
前記光スプリッタユニットは、１６分配の光スプリッタと２分配の光スプリッタとを２段に組み合わせて構成される３２分配の光分配器から成る
ことを特徴とする請求項１乃至請求項４の何れか１項に記載の大型光増幅分配装置。
【請求項８】
前記光スプリッタユニットは、３２分配の光スプリッタから成る
ことを特徴とする請求項１乃至請求項４の何れか１項に記載の大型光増幅分配装置。
【請求項９】
前記光スプリッタユニットの集合から成るユニット列を有し、前記光増幅ユニットは、前記ユニット列の略中央に挿入配置されている
ことを特徴とする請求項１乃至請求項８の何れか１項に記載の大型光増幅分配装置。
【請求項１０】
前記ラック内の正面側及び背面側の双方に、
前記光スプリッタユニットの集合から成るユニット列を有する
ことを特徴とする請求項１乃至請求項９の何れか１項に記載の大型光増幅分配装置。
【請求項１１】
前記ラックの正面側及び背面側の双方両面に、ドア、スライドドア、折り畳み式スライドドア、またはパンチングドア等から成る施工アクセス口を有する
ことを特徴とする請求項１０に記載の大型光増幅分配装置。
【請求項１２】
前記ラック内の正面側及び背面側の双方に、それぞれ前記融着トレーを設けることにより、当該大型光増幅分配装置の表裏両面のどちら側からでも、前記融着トレーにおける光ファイバーの融着作業が実施できる様にした
ことを特徴とする請求項１１に記載の大型光増幅分配装置。
【発明の詳細な説明】
【０００１】
【発明の属する技術分野】
本発明は、エンドユーザまで光ファイバーで情報を伝達する光ファイバー伝送システムの送信端又は中継端に設置され、入力光信号を多数の出力光信号に分配する大型光増幅分配装置に関する。本発明は、ＦＴＴＨ（ファイバ・ツー・ザ・ホーム）システムの構築に極めて有用なハードウェア技術を提供するものである。
本発明の適用が望まれる高度な利用形態としては、一般の放送型の光信号を配信するＣＡＴＶ配信網に限らず、例えば下記の非特許文献５にて言及されている「自治体直営のＣＡＴＶ施設」などの様な、高度な利用形態を前提としたＦＴＴＨシステム等も大いに考えられ、今後の本発明の高度或いは幅広い利用が期待できる。
【０００２】
【従来の技術】
【非特許文献１】
日東工業株式会社、「日東工業株式会社［情報通信商品ガイド］」、［ｏｎｌｉｎｅ］、［平成１５年５月１５日検索］、インターネット＜ＵＲＬ：ｈｔｔｐ：／／ｗｗｗ．ｎｉｔｏ．ｃｏ．ｊｐ          ／ｃａｔａｌｏｇ／ｃａｔａｌｏｇ＿ｂｏｄｙ０１．ｈｔｍｌ  ＞
【非特許文献２】
株式会社サンコーシヤ、「製品紹介：光関連：配線盤関連」、［ｏｎｌｉｎｅ］、［平成１５年５月８日検索］、インターネット＜ＵＲＬ：ｈｔｔｐ：／／ｗｗｗ．ｓａｎｋｏｓｈａ．ｃｏ．ｊｐ          ／ｐｒｏｄｕｃｔ＿ｎ／ｎｅｗ／ｏｐｔ  ＿ｗｉｒｅｒｉｎｇ．ｈｔｍｌ  ＞
【非特許文献３】
河村電器産業株式会社、「光配線盤」、［ｏｎｌｉｎｅ］、［平成１５年５月８日検索］、インターネット＜ＵＲＬ：ｈｔｔｐ：／／ｗｗｗ．ｋａｗａｍｕｒａ．ｃｏ．ｊｐ          ／ｒａｃｋ／ｌｉｎｅｕｐ／ｈｓｊ＿ｈｓｊｕ／ｍａｉｎ．ｈｔｍｌ＞
【非特許文献４】
株式会社ティー・イー・エム、「エリビウムファイバー増幅器ＥＡＤ／ＥＡＵシリーズ」、［ｏｎｌｉｎｅ］、［平成１５年５月９日検索］、インターネット＜ＵＲＬ：ｈｔｔｐ：／／ｗｗｗ．ｔｅｍ−ｉｎｃ．ｃｏ．ｊｐ        ／ｈｔｍｌ／ｆｒａｍｅｓｅｔ＿ｍａｋｅｒ．ｈｔｍ  ＞
【非特許文献５】
総務省東北総合通信局、「Ｔｏｈｏｋｕ  Ｂｕｒｅａｕ  ｏｆ  Ｔｅｌｅｃｏｍｍｕｎｉｃａｔｉｏｎｓ  ＝特集  高度利用の展望＝」、［ｏｎｌｉｎｅ］、［平成１４年８月２２日検索］、インターネット＜ＵＲＬ：ｈｔｔｐ：／／ｗｗｗ．ｔｔｂ．ｇｏ．ｊｐ        ／ｔｅｔｕｄｕｋｉ／ｃａｔｖ／ｕｓａｇｅ／ｙａｔｓｕｏ．ｈｔｍｌ＞
【０００３】
従来の光接続箱、光成端架或いは光配線盤としては、例えば上記の非特許文献１〜非特許文献３などに掲載されているもの等があり、現在、これらの従来装置は一般にも普及している。
ただし、これらの従来装置の筐体内には、シングルポート入力・マルチポート出力の高出力の一入力多出力型光増幅器（ＥＤＦＡ）は具備されていない。
【０００４】
図６に、従来の一入力一出力型光増幅器（ＥＤＦＡ）を用いて構成される従来の光増幅分配装置の中核機器の主要構成を表す概念図を示す。この中核機器は、エンドユーザ数が２８  〜２１０程度以上にまで達すると非常に大型化するため、従来は光スプリッタを中心に構成される光成端架とは別体の別装置として製造されてきたものである。
即ち、従来は、光スプリッタを中心に構成される光成端架の入力側にこの様な中核機器を外部から直列に繋ぐことにより、大型の光増幅分配装置を事実上構成していた。
【０００５】
この中核機器の従来構成（図６）では、光の分岐分配点に必ず光スプリッタを要するので、例えばこの様に、光増幅分配装置の中核機器に一入力一出力型光増幅器（ＥＤＦＡ）を用いている限り、必ずこの中核機器の内部（分岐分配点）に光スプリッタを具備する必要が生じる。
また、特に、用いるＥＤＦＡの出力が高出力でない場合や、用いる光スプリッタの分配伝達性能が不十分な場合等には、これらの光スプリッタとＥＤＦＡとを交互に多段構成に組んで、中規模或いは大規模なトゥリー構造の光分岐分配回路を組み上げる必要がある。
【０００６】
【発明が解決しようとする課題】
上記の様な中核機器を有する光増幅分配装置においては、必然的に以下の問題が生じる。
（問題点１）光増幅分配回路に関するハードウェア構成が大型化及び複雑化せざるを得ず、従って、光増幅器や光分配器等から構成される光増幅分配装置全体としての設置面積や設置体積が大きくなってしまう。
【０００７】
例えば、ＦＴＴＨシステムによる光情報配信網を構築する場合、近年の加入者端末数の増大に伴い、サブセンタ等の中継設備の設置需要も増大している。しかしながら、高層ビル内や或いは高層住宅内等では、この様な光増幅分配装置などのために割くことが出来る情報機器設置用のスペースには、多くの場合非常に強い制約があるため、上記の従来構成に従っている限り、光情報配信網の合理的な構築形態を取ることは、必ずしも容易ではない。
また、この様な問題は、特に、１台の光増幅分配装置でカバーすべきエンドユーザ数（加入者端末数）が２９  〜２１０程度以上にまで達する時、非常に深刻な問題となり得る。
【０００８】
（問題点２）上記の様な光増幅分配装置の物理的な構造を無理に小型化すると、光増幅分配装置或いは光成端架などの筐体内又はラック内に、余長コードの収納スペースなどとして必要となる空間が不十分になってしまうので、設置、増設、点検等の施工・保守作業を実施する際には、この小型化の代りに作業性が犠牲にならざるを得ない。
【０００９】
特に、大規模のＦＴＴＨシステムを構築する際には、光増幅分配装置１台当りの出力配線数が大きいことが期待されるが、実際の設置スペースの広さや設置環境などに依っては、光配線の接続、融着、整頓、管理、点検などの施工・保守作業が実施しづらい状況も十分考えられるので、光増幅分配装置１台当りの出力配線数が大きくなるほど、この様な作業性の問題は表面化或いは顕在化してしまう恐れがある。
【００１０】
本発明は、上記の課題を解決するために成されたものであり、その目的は、上記の様なサブセンタなどで必要となる大型光増幅分配装置の設置面積や設置体積を小さくすることである。
また、本発明の更なる目的は、装置の省電力化、低価格化などに寄与することである。
また、本発明の更なる目的は、装置の設置、拡張、保守等の施工・保守作業の効率を向上させることである。
ただし、上記の個々の目的は、本発明の個々の手段の内の少なくとも何れか１つによって、個々に達成されれば十分なのであって、本願の個々の発明は、上記の全ての課題を同時に解決し得る手段が存在することを必ずしも保証するものではない。
【００１１】
【課題を解決するための手段、並びに、作用及び発明の効果】
上記の課題を解決するためには、以下の手段が有効である。
即ち、本発明の第１の手段は、エンドユーザまで光ファイバーで情報を伝達する光ファイバー伝送システムの送信端又は中継端に設置され、入力光信号を多数の出力光信号に分配する光成端架において、１つの入力ポートから入力された光信号を増幅して多数の出力ポートに分配する一入力多出力型光増幅器が用いられた光増幅ユニットと、この光増幅ユニットから出力される各光信号を、それぞれ、入力し、多数の光信号に分配する多数の光スプリッタを配設した光スプリッタユニットと、当該光成端架の外部に伸びる出力側の多数の出力光ファイバーαの片側の端部と光スプリッタユニットの出力端に一方が接続される光ファイバーβのもう一方の端部とをｎ心対ｎ心（ｎ≧１）で融着するための融着トレイとを１つのラック内に設けることである。
【００１２】
図１に、本発明に係わる中核技術（上記の一入力多出力型光増幅器）の概念図を示す。この光増幅器（ＥＤＦＡ）は、シングルポート入力・マルチポート出力の高出力のマルチポートＥＤＦＡを具現するもので、この様な光増幅器（ＥＤＦＡ）は、例えば、上記の非特許文献４にもＩＰＧ（ＩＲＥ−ＰＯＬＵＳ  ＧＲＯＵＰ）のＥＡＤ／ＥＡＵシリーズの１製品（：多ポート形増幅器）として紹介されており、現在、一般にも普及しつつある。
【００１３】
従来構成の光増幅ユニット（図６の光増幅分配装置の中核機器）は、小型化が困難であったため、従来構成の光増幅ユニットは、従来の光成端架や或いは光配線盤のラック内には配設できなかったが、上記の様な一入力多出力型光増幅器を利用した光増幅ユニットを製造すれば、この様な光増幅ユニットは、従来構成の光増幅ユニットよりも格段に小型化できるので、光成端架や或いは光配線盤のラック内に配置することも容易となる。また、部品点数、部品価格、消費電力などの面から検討しても、上記の様な一入力多出力型光増幅器を利用した光増幅ユニットを製造することが望ましい。
即ち、上記の構成に従えば、光増幅分配装置の設置面積や設置体積を従来よりも格段に小さくすることができ、装置の省スペース化、省電力化、低価格化などにも寄与できる。
【００１４】
また、本発明の第２の手段は、上記の第１の手段において、光増幅ユニットの各出力ポートとそれぞれの光スプリッタユニットの入力端とを、片端コネクタ付きの単心光コードＣで接続することである。
この様な構成に従えば、単心光コードＣの先端に設けられたコネクタの着脱により、光スプリッタユニットの設置、増設、交換などが容易に実施できる。したがって、この様な構成に従えば、光分配装置の設置、増設、交換などの施工作業が上記の光スプリッタユニットの単位で容易に実施できる。
【００１５】
また、上記の構成に従えば、光スプリッタユニットの製造時においても、このユニット単位で、簡単に、機械的に或いは画一的に製品検査を確実に実施することができるので、施工後の不具合も発生し難くなる。
【００１６】
また、上記の片端コネクタ付きの単心光コードＣのコネクタを備えていない側の端部（光スプリッタユニット側の端部）は、それぞれの光スプリッタユニットの入力端に固定しておくと、この単心光コードＣの取り回しや紛失管理などの作業が軽減できて良い。また、その固定方法は任意で良く、例えばメカニカルスプライス等を用いても良く、或いは融着しても良い。
【００１７】
また、第３の手段は、上記の第１又は第２の手段において、多数の出力光ファイバーαを集合させて成るコネクタ無しの出力光ファイバーケーブルＡと、複数の光ファイバーβを集合させて成る片側のみにコネクタを有する片端コネクタ付き多心光コードＢとを設け、光ファイバーβの片端は光スプリッタユニットの出力端にコネクタ接続し、光ファイバーβの他端は出力光ファイバーαの片側の端部と融着トレーにおいて融着することである。
【００１８】
上記の出力光ファイバーαや光ファイバーβの配線数は、予備配設分を除けばエンドユーザの数と一致するので、この数は非常に大きくなる。中でも光ファイバーβは、対応する各光スプリッタユニットとの個々の対応関係を正確に管理しなければならないため、取り回し、整理、管理などの作業の合理化、効率化、省スペース化が重要となる。
【００１９】
そこで、光ファイバーβを集合させて成る片側のみにコネクタを有する片端コネクタ付き多心光コードＢを導入する。この様な構成に従えば、多数の光ファイバーβが片端コネクタ付き多心光コードＢ単位で管理できるため、光ファイバーβの取り回し、整理、管理などの作業の合理化、効率化、省スペース化に都合がよい。
【００２０】
また、第４の手段は、上記の第３の手段において、複数の８ｍ心テープ心線（ｍ＝１，２，３，４）から成るテープ群をＮ本（２≦Ｎ≦８）一纏めとする１単位毎に、１つのチューブ又は１つの変換部で束ねることにより形成された、ピッグテール型のファンコードから上記の片端コネクタ付き多心光コードＢを構成することである。
【００２１】
この様な構成に従えば、光ファイバーβを８ｍＮ本単位に１つの比較的細いチューブ（又は変換部）内に、整理して綺麗に纏めることができるので、光ファイバーβの取り回し、整理、管理などの作業の合理化、効率化、省スペース化に都合がよい。
例えば、１台の光スプリッタユニットからの最大の出力配線数を６４とした場合、ｍＮ＝８とすれば、この多心光コードＢで光ファイバーβを、６４本単位に１つの比較的細いチューブ内に、整理して綺麗に纏めることができるので、１台の光スプリッタユニット毎に丁度１本の上記の片端コネクタ付き多心光コードＢを割り当てることができる。
また、ピッグテール型とすることにより、融着作業がそのまま実施できるため、融着作業の作業効率が向上する。
【００２２】
また、第５の手段は、上記の第１乃至第４の何れか１つの手段において、上記の光スプリッタユニットを、１６分配の光スプリッタと４分配の光スプリッタとを２段に組み合わせて構成される６４分配の光分配器で構成することである。
例えばこの様な構成により、６４分配の光スプリッタユニットを、容易に入手又は製造可能な１６分配の光スプリッタと４分配の光スプリッタから製造することができる。
【００２３】
設計、増設、管理、保守などが非常に容易な小型で安定した出力の６４分配の光分配器（光スプリッタユニット）を製造するためには、現行の光スプリッタやＥＤＦＡに関する出力レベル、分配伝送効率などの出力性能や電力効率に照らせば、或いはまた、各部品の大きさや単価等を考慮した場合、上記の構成が非常に有利である。勿論、３２分配の光分配器を用いても、設計、増設、管理、保守などが容易である。
【００２４】
逆に、スプリッタを３段以上の多段構成とした場合、用いる部品によっては、光スプリッタやＥＤＦＡに関する出力性能が追いつかずに、出力レベルが足りなくなる恐れがある。或いは、構成が複雑化して光分配器の小型化に失敗する恐れが生じる。しかしながら、上記の構成に従えば、それらの各懸念を同時に払拭することができる。
ユニットの小型化、十分な出力レベル、省電力化、低価格化などの条件を満たす、光スプリッタユニットの理想的な構成としては、上記の外にも以下のものが考えられ、これらの構成によっても同様に、大型光増幅分配装置全体としての省スペース化、省電力化、低価格化などに十分に寄与できる。
【００２５】
即ち、本発明の第６の手段は、上記の第１乃至第４の何れか１つの手段において、上記の光スプリッタユニットを、３２分配の光スプリッタと２分配の光スプリッタとを２段に組み合わせて構成される６４分配の光分配器で構成することである。
【００２６】
また、本発明の第７の手段は、上記の第１乃至第４の何れか１つの手段において、上記の光スプリッタユニットを、１６分配の光スプリッタと２分配の光スプリッタとを２段に組み合わせて構成される３２分配の光分配器で構成することである。
【００２７】
また、第８の手段は、上記の第１乃至第４の何れか１つの手段における光スプリッタユニットを、単独で３２分配の光スプリッタから構成することである。
【００２８】
また、本発明の第９の手段は、上記の第１乃至第８の何れか１つの手段において、光スプリッタユニットの集合から成るユニット列を形成し、光増幅ユニットを、このユニット列の略中央に挿入配置することである。
【００２９】
この様な構成に従えば、１台の大型光増幅分配装置のラック内において、光スプリッタユニットと光増幅ユニットとを接続する光配線の長さの標準偏差を最小化することができるので、１台の大型光増幅分配装置に用いられるこの光配線を全件画一的に製造する場合に、この光配線に必要となる光ファイバーの長さを最小にすることができる。このような構成は、特に、光スプリッタユニットと光増幅ユニットとを接続する上記の光配線を光スプリッタユニットの一部として構成する場合に、光スプリッタユニットを画一的に製造する上で非常に有利になる。
【００３０】
また、第１０の手段は、上記の第１乃至第９の何れか１つの手段において、ラック内の正面側及び背面側の双方に、光スプリッタユニットの集合から成るユニット列を設けることである。
【００３１】
例えば、上記の光増幅ユニット１台に対して、上記の光スプリッタユニットを８台〜１６台程度配置することにより、１台で約５００〜約１０００ユーザ（約２９  〜２１０ユーザ）をカバーできる大型光増幅分配装置を構成する場合、現在の一般的な技術水準に照らして考えると、光増幅ユニット１台の体積は、光スプリッタユニット１台の体積の凡そ３倍前後（１．５〜４倍程度）になる。勿論、この様な光増幅ユニットの小型化は、前述の本発明の第１の手段により初めて可能となるものである。
【００３２】
一方、光スプリッタユニットに付いては、施工作業や点検作業などの作業効率とスペース効率とを両立させるために、以下の要請がある。
（１）ラックから引き出せる引き出し形式（トレー形式）とし、１段の引き出し（１台の光スプリッタユニット）毎に装置の略全幅を占有させたい。
（２）その引き出しの積み上げ段数をできるだけ多くしたい。しかし、当然のことながら、大型光増幅分配装置の設置スペースの高さに付いては、建物の各階のフロアーの高さなどからの強い制約がある。
（３）作業効率を高くするために、１段の引き出し（１台の光スプリッタユニット）の奥行きは、あまり深くはできない。
【００３３】
これらの各要件を全て満たすためには、後述の実施例でもより具体的に例示するが、光増幅ユニットの奥行きを光スプリッタユニットの奥行きの２〜３倍程度に取り、かつ、光スプリッタユニットを正面側及び背面側の双方に合計２列に並べる２列構成が、少なくともスペース効率を向上させる上では最も有利であると考えられる。
また更に、作業性に付いても十分に考慮する時には、以下の手段が非常に有効になるものと考えられる。
【００３４】
即ち、第１１の手段は、上記の第１０の手段において、ラックの正面側及び背面側の双方両面に、ドア、スライドドア、折り畳み式スライドドア、またはパンチングドア等から成る施工アクセス口を設けることである。
ただし、この様な施工アクセス口は、その他にも例えば、筐体の側方に設ける様にしても良い。例えば、サイドパネル（サイドカバー）等を筐体の側方の側面にねじ止めしておく等の手段を用いれば、筐体の側方にも、着脱可能で有用な簡易型の施工アクセス口を設けることができる。
【００３５】
光スプリッタユニットを正面側及び背面側の双方に合計２列に並べる２列構成を採用する場合、正面側だけに施工アクセス口を設ける構成も、工夫次第では勿論不可能ではないと考えられるが、ラックの正面側及び背面側の双方両面に、施工アクセス口を設けること（上記の第１１の手段）により、以下の作用・効果がえられる。
【００３６】
（１）光スプリッタユニットを極めて容易に上記の引き出し形式に構成することができる。即ち、正面側のユニット列に属する光スプリッタユニットは、正面側の施工アクセス口から引き出してアクセスすれば良く、背面側のユニット列に属する光スプリッタユニットは、背面側の施工アクセス口から引き出してアクセスすれば良い。
（２）正面側と背面側との表裏両面からのアクセスが同時に可能となるので、施工作業や点検作業などの作業効率が向上する。この効果は、同一の大型光増幅分配装置の施工作業に同時に係わることができる作業員若しくは保守員が複数人いる時に、より顕著となる。
【００３７】
また、第１２の手段は、上記の第１１の手段において、ラック内の正面側及び背面側の双方に、それぞれ融着トレーを設けることにより、大型光増幅分配装置の表裏両面のどちら側からでも、融着トレーにおける光ファイバーの融着作業が実施できる様にすることである。
【００３８】
大型光増幅分配装置関連の施工作業の中でも、最も時間を要する作業は、融着トレーにおける光ファイバーの融着作業である。言い換えれば、光ファイバーの融着作業の効率化は、光通信事業者（特に施工業者）にとって、最も大きな課題の一つと考えられる。
したがって、この様な構成にしたがえば、最も時間のかかる融着作業においても、正面側と背面側との表裏両面からのアクセスが同時に可能となるので、大型光増幅分配装置関連の施工作業の作業効率を大幅に向上させることができる。
以上の本発明の手段により、前記の課題を効果的、或いは合理的に解決することができる。
【００３９】
【発明の実施の形態】
以下、本発明を具体的な実施例に基づいて説明する。ただし、本発明は以下に示す実施例に限定されるものではない。
〔実施例〕
図２、図３、図４からも判る様に、本実施例の大型光増幅分配装置１００のフレーム（：ラック８）内の主要構成の特徴は、以下の通りである。
（１）シングルポート入力・マルチポート出力の高出力のマルチポートＥＤＦＡ１（一入力多出力型光増幅器）を実装する。このマルチポートＥＤＦＡ１は、４つ以上、最大１６個までの出力ポートを備えることができる。この様な高出力の一入力多出力型光増幅器としては、例えば、前述の非特許文献４にも紹介されているＩＰＧ（ＩＲＥ−ＰＯＬＵＳ  ＧＲＯＵＰ）のＥＡＤ／ＥＡＵシリーズの１製品（：多ポート形増幅器）等が利用可能である。
【００４０】
（２）入力側に片端コネクタ付きの単心光コードＣを備えたケースモジュール（：光スプリッタユニット２）を４台以上設ける（最大１６台まで）。この光スプリッタユニット２の各一台当りの光分配数は３２又は６４とし、これにより、ラック８内の空間設計、製造、管理、運用等の合理化、効率化を図ることができる。
【００４１】
（３）一入力多出力型光増幅器（：マルチポートＥＤＦＡ１）や各ケースモジュール（：光スプリッタユニット２）の小型化によって生み出される余地空間には、ネットワークの監視、制御、保守等に有用な例えば光送信器やステータスモニタ等のその他の機器を設置、増設することもできる。
以下、図２、図３、図４、図５を用いて、本実施例の大型光増幅分配装置１００に付いて、詳しく説明する。
【００４２】
図２は、本発明の実施例にかかわる大型光増幅分配装置１００の主要構成を模式的に表す機能ブロック図である。本図２のマルチポートＥＤＦＡ１は、最大１６ポート出力まで可能な、シングルポート入力・マルチポート出力の高出力の一入力多出力型光増幅器からなる。
光スプリッタユニット２は、６４個の光心線コネクタ３を備えており、同数本の光ファイバーｆが工場出荷時から標準装備されている。この光スプリッタユニット２には、片端コネクタ付きの単心光コードＣが工場出荷時から標準装備されており、この単心光コードＣの先端には光心線コネクタ２ａがそれぞれ具備されている。マルチポートＥＤＦＡ１には、この光心線コネクタ２ａを介して、最大１６台まで光スプリッタユニット２を接続することが可能である。また、マルチポートＥＤＦＡ１の入力側には、コネクタ１ａが配設されており、ここには本大型光増幅分配装置１００への入力光配線の一部を構成する１心の光ファイバーＤが接続されている。尚、この光ファイバーＤ自身の入力端は、更に上流側の入力光配線γに融着トレー４上において融着されている（図４）。
【００４３】
この様な構成により、次の効果を得ることができる。
（ａ）光スプリッタユニット２の設置台数は、エンドユーザ数（加入者端末数）に応じて容易に変更できる。
（ｂ）単心光コードＣが有するコネクタ２ａの着脱により、光スプリッタユニット２の設置、増設、交換を既製のユニット単位で容易に実施できる。
【００４４】
図３に、上記の大型光増幅分配装置１００が備える光スプリッタユニット２の物理的構成を模式的に表す平面図（ａ）及び正面図（ｂ）を示す。
光スプリッタ２１の入力側に位置する単心の光ファイバーｆ′自身の入力端（上流側）は、上記の単心光コードＣ自身の出力端（下流側）と融着される。
光スプリッタ２１は、２分配の光分配器であり、光スプリッタ２２ａ，２２ｂは、それぞれ３２分配の光分配器である。光スプリッタ２２ａからの光出力配線（単心の光ファイバーｆ）も、光スプリッタ２２ｂからの光出力配線も、本図３（ａ）には表現上それぞれ５本ずつしか記載されていないが、勿論実際には、各々の光スプリッタ（２２ａ，２２ｂ）からは、それぞれ３２本ずつの光出力配線が伸びている。
【００４５】
図３（ｂ）の光心線コネクタ３は、上下各段共に、それぞれ３２個ずつ配列されており、上記の様な構成により、光スプリッタ２２ａからの光出力信号は上段の各光心線コネクタ３に、光スプリッタ２２ｂからの光出力信号は下段の各光心線コネクタ３にそれぞれ分配される。
【００４６】
図４に、本実施例の大型光増幅分配装置１００のラック８内の物理的構成を模式的に表す正面図（ａ）及び側面図（ｂ）を示す。ラック８内には、鉛直方向に走る機器取り付け柱７が合計４本設けられており、各装置・機器は、この機器取り付け柱７に直接或いは間接的に支えられている。ケーブルクランプ６は合計５つ用意されており、最大５本の出力光ファイバーケーブルＡを固定することができる。
【００４７】
正面側の２本の機器取り付け柱７には、合計８台の光スプリッタユニット２が縦１列に配列されている。以下、この列を正面側のユニット列と言う。背面側にも同様のユニット列（背面側のユニット列）が設置されている。
これらの各光スプリッタユニット２は、同一の仕様を有しており、各片端コネクタ付きの単心光コードＣの長さもそれぞれ同じに製造されている。光増幅ユニット１は、正面側のユニット列の略中央に挿入配設されており、この構成により、画一的に製造される各光スプリッタユニット２の単心光コードＣの長さは必要最小限に抑制されている。
【００４８】
また、通常、融着トレー４の総数は、光スプリッタユニット２の総数と同数だけ実装される。したがって、例えば、光スプリッタユニット２を１６台用意する場合（フル装備時）には、勿論、融着トレー４も１６枚実装する。
各融着トレー４は、各光スプリッタユニット２に１対１対応しており、勿論、この融着トレー４は、各光スプリッタユニット２の出力端に接続される光ファイバーβの一端と、出力光ファイバーケーブルＡを構成する出力光ファイバーαの一端とを融着点Ｐで融着するのに用いられる。
【００４９】
図４のラック８内には、正面側のユニット列の上方に融着トレー４が合計１２枚だけ用意されている。また、背面側のユニット列の下方の４つは、拡張増設用の予備領域にユニットケース２′（本体のないダミーケース）を４つ配備したものである。即ち、この位置には図３の光スプリッタを有する光スプリッタユニット２は、実際には設置されていない。
【００５０】
例えばこの様に、光スプリッタユニット２をフル装備しない場合には、この様な本体のないダミーケース（ユニットケース２′）を用いても良い。図４の構成例においては、図３の光スプリッタを有する光スプリッタユニット２は、正面側のユニット列に８台、背面側のユニット列に４台の計１２台が具備されており、したがって、この場合にも、融着トレー４の総数は、光スプリッタユニット２の総数と一致している。
【００５１】
尚、図４の背面側のユニット列の上方にも、融着トレー４を配設可能な空間が残されている。したがって、ここに、背面側の各光スプリッタユニット２に対応する融着トレー４を配設する様にしても良い。
【００５２】
例えば、図４の光スプリッタユニット２の総数を１６台（フル装備）に増設する場合には、融着トレー４を表裏両側にそれぞれ８枚ずつ、各ユニット列の上方に各ユニット列対応に設けると良い。この様な構成に従えば、正面側のユニット列は地域ＡへのＣＡＴＶ光信号配信用に使い、背面側のユニット列は別の地域ＢへのＣＡＴＶ光信号配信用に使うなどの使い分けが容易となり、かつ、構成も分り易い。
【００５３】
また、図示を省略したが、正面側と背面側の表裏両面には、所謂観音開き型のドアがそれぞれ設けられており、この様な表裏両面における施工アクセス口の配設により、光ファイバーの融着作業を始めとする各種の施工、点検作業の作業効率が格段に向上する場合がある。上記の正面側と背面側のユニット列の用途別の使い分けは、特に、この様な構成下において、作業効率をより向上させる上でも重要である。
【００５４】
図５は、８本の光ファイバーβから成る８心光ファイバーテープ心線ｔの一断面の斜視図（ａ）、及び、このテープ心線ｔを８枚内包するチューブＴで細く綺麗に束ねて構成された片端コネクタ付き多心光コードＢの一断面の斜視図（ｂ）である。テープ心線ｔの厚さｄは約０．９ｍｍ程度であり、チューブＴの直径Ｌは約１０ｍｍ程度である。
例えばこの様に、チューブＴ内にテープ心線のみを必要本数だけ整理して纏めることにより、図４の光ファイバーβを６４本一纏めにして構成される、片端コネクタ付き多心光コードＢの外形寸法を非常に小さくすることができる。
【００５５】
したがって、この様な構成に従えば、光ファイバーβの取り回し、整理、管理などの作業の合理化、効率化、省スペース化に都合がよい。また、この様な構成に従えば、１台の光スプリッタユニット毎に丁度１本の上記の片端コネクタ付き多心光コードＢを割り当てることができる。
【００５６】
また、上記の片端コネクタ付き多心光コードＢを、光ファイバーの一端がむき出しであるピッグテール型とすることにより、融着作業がそのまま実施できるため、融着作業の作業効率が向上する。特に、図５に例示する様に８心テープ心線ずつ纏まっていると、８心同時融着可能な融着トレー上において、８心ずつ各テープ心線単位で融着作業が進められるので、極めて効率よく融着作業が実施できる。
【００５７】
本発明に基づいた例えば以上の様な大型光増幅分配装置１００の構成により、次の効果がそれぞれ全て得られることが判る。
（１）光配信網等のサブセンタなどで必要となる光増幅分配装置の設置面積や設置体積を小さくすることができる。
（２）装置の省電力化、低価格化を図ることができる。
（３）装置の設置、拡張、保守等の施工・保守作業の効率を向上させることができる。
【図面の簡単な説明】
【図１】本発明に係わる中核技術の概念図。
【図２】本発明の実施例にかかわる大型光増幅分配装置１００の主要構成を模式的に表す機能ブロック図。
【図３】大型光増幅分配装置１００が備える光スプリッタユニット２の物理的構成を模式的に表す平面図（ａ）及び正面図（ｂ）。
【図４】大型光増幅分配装置１００のラック８内の物理的構成を模式的に表す正面図（ａ）及び側面図（ｂ）。
【図５】８本の光ファイバーβから成る８心光ファイバーテープ心線ｔの一断面の斜視図（ａ）、及び、このテープ心線ｔを有して成る片端コネクタ付き多心光コードＢの一断面の斜視図（ｂ）。
【図６】従来の一入力一出力型光増幅器（ＥＤＦＡ）を用いて構成される従来の光増幅機器の中核機器構成を表す概念図。
【符号の説明】
１００    …  大型光増幅分配装置
１    …  マルチポートＥＤＦＡ（一入力多出力型光増幅器）
２    …  光スプリッタユニット
２ａ  …  光心線コネクタ
２１  …  光スプリッタ（２分配）
２２ａ，
２２ｂ…  光スプリッタ（３２分配）
３    …  光心線コネクタ
４    …  融着トレー
６    …  ケーブルクランプ
７    …  機器取り付け柱
８    …  ラック
Ａ    …  出力光ファイバーケーブル
α    …  出力光ファイバー
Ｂ    …  片端コネクタ付き多心光コード
β    …  光スプリッタユニットの出力端に接続される光ファイバー
Ｃ    …  片端コネクタ付きの単心光コード
Ｐ    …  融着点
Ｔ    …  チューブ
ｔ    …  ８心光ファイバーテープ心線
【図１】
2004354408.tif 000003
【図２】
2004354408.tif 000004
【図３】
2004354408.tif 000005
【図４】
2004354408.tif 000006
【図５】
2004354408.tif 000007
【図６】
2004354408.tif 000008